(57)【要約】【課題】鍔部や庇それ自体が風をはらみ難いように風の逃げ道を有しており、一方で日射等に対してもこれを遮る機能を損なわないような風通し用開閉窓を備える鍔部を有する帽子を提案すること等を目的とする。【解決手段】鍔部に風を通すことが可能な開閉窓を有する帽子とし、好ましくはまし開閉窓が、自然状態で日光を遮るように遮蔽され、鍔部に印加される風圧に対応して風が通過する程度に開口され、さらに好ましくは開閉窓には、風圧で少なくともその一部が鍔部から離間して空間を形成する少なくとも一枚のフラップが設けられることを特徴とする。【選択図】図１
2020079454.tif 000002
【特許請求の範囲】
【請求項１】
鍔部に風を通すことが可能な開閉窓を有する
ことを特徴とする帽子。
【請求項２】
請求項１に記載の帽子において、
前記開閉窓は、
自然状態で日光を遮るように遮蔽され、前記鍔部に印加される風圧に対応して風が通過する程度に開口される
ことを特徴とする帽子。
【請求項３】
請求項１または請求項２に記載の帽子において、
前記開閉窓には、風圧で少なくともその一部が前記鍔部から離間して空間を形成する少なくとも一枚のフラップが設けられる
ことを特徴とする帽子。
【請求項４】
請求項３に記載の帽子において、
前記鍔部から離間する前記フラップの一部は、前記フラップのうち着帽者に近い側である
ことを特徴とする帽子。
【請求項５】
請求項３に記載の帽子において、
前記鍔部から離間する前記フラップの一部は、前記フラップのうち着帽者から遠い側である
ことを特徴とする帽子。
【請求項６】
請求項３乃至請求項５のいずれか一項に記載の帽子において、
前記フラップは可撓性を有するフレキシブル素材で構成される
ことを特徴とする帽子。
【請求項７】
請求項３乃至請求項６のいずれか一項に記載の帽子において、
前記フラップは、自然状態では前記鍔部の形状と一体化する湾曲形状である
ことを特徴とする帽子。
【請求項８】
請求項３乃至請求項７のいずれか一項に記載の帽子において、
前記フラップは、ＵＶカット素材で構成される
ことを特徴とする帽子。
【請求項９】
請求項３乃至請求項８のいずれか一項に記載の帽子において、
前記フラップは、前記鍔部へ着脱付け替え可能に構成される
ことを特徴とする帽子。
【発明の詳細な説明】
【技術分野】
【０００１】
本発明は、風が強くても飛ばされ難いように風通し用開閉窓を備える鍔部を有する帽子等に関する。
【背景技術】
【０００２】
下記特許文献１には、帽子本体２０に対し、上方に傾くと共に下に凹の部分３２を備えた庇３０を点状の連結部３４で取付け、間に隙間５１が開くようにする。前方および側方からの風は、この隙間５１を通ってスムーズに流れるので、風によって飛ばされない帽子が提案されている。
【０００３】
特許文献１に係る帽子によると、帽子本体と庇とを別の構造体とし、これらをほぼ点状に部分的に接続することにより、帽子本体と庇との隙間から風を逃がすようにしている。または、庇の両端を帽子の湾曲した方向にほぼ沿って接着あるいは縫合などの方法により接続することにより、風の抵抗とならないように帽子本体と庇との隙間から風を逃がすようにしている。そして、庇を傾けることにより、風により庇が押さえつけられる方向に力が作用し、さらに吹き飛びにくい帽子を提供するようにしている。
【０００４】
すなわち、特許文献１の帽子は、帽子本体と、この帽子本体に対し複数のほぼ点状の連結部、または帽子本体の湾曲方向にほぼ沿って延びた両端の接続部により取付けられた庇とを有し、この庇に先端から帽子本体に向かって上昇する面あるいは部分を設けるようにしている。
【０００５】
また、特許文献１の帽子においては、庇に穴をあけるという従来の考え方と異なり、庇と帽子本体との間に隙間を設けて、そこから風を逃がすようにしている。したがって、庇自体の構造は簡単になり、さらに、デザイン的な制限が少なくなる。このため、低コストで、ユーザの好みに合ったデザインでありながら、風で飛ばない帽子を提供することができる。また、帽子本体と庇との間の隙間から風が逃げるようにしているので、庇が延びた前方からの風に限らず、横方向の風であってもスムーズに逃がすことができる。
【先行技術文献】
【特許文献】
【０００６】
【特許文献１】特開２００１−２７９５１５号公報
【発明の概要】
【発明が解決しようとする課題】
【０００７】
上記特許文献１の帽子は、帽子本体と庇とを別の構造体とし、これらをほぼ点状に部分的に接続していることから、帽子と庇との連結が外れたりズレたりする懸念があり、帽子全体としての強度に不安がある。また、帽子本体と庇とを別の構造体であることから、帽子を脱いで保管したり携行移動する場合の取り扱い点数が２点となるので、いずれか一方を紛失したりパーツ毎にバラバラに別の場所に保管してしまう等の取り扱いが複雑となる。
【０００８】
また、複数の帽子を所有する場合には、本体と庇とのセット対応関係についても配慮が必要となるなどユーザフレンドリーとは言えない。さらに、庇それ自体は全体として風を受ける構成を有しており風を逃がす箇所は庇内には一切存在しないことから、その形状に起因して凧のように庇が風をはらんで浮力等が発生することが懸念される。また、風を逃がす空間が常に開放状態の開放窓であれば、風向きが逆になれば開放窓から顔面方向に風が吹き込むこととなるだけはなく、開放窓から日光や雨さらには空気中の埃や塵、砂や粉塵等が入り込むものとなるので、庇の機能が大きく阻害されるものとなる。
【０００９】
このため、鍔部や庇それ自体が風をはらむことがないように風の逃げ道を有しており、一方で日射等に対してもこれを遮る機能を損なわないような、一見するとトレードオフの関係性にあるような両機能を有する帽子の実現が期待されるところである。本発明は上述の問題点に鑑み為されたものであり、鍔部や庇それ自体が風をはらみ難いように風の逃げ道を有しており、一方で日射等に対してもこれを遮る機能を損なわないような風通し用開閉窓を備える鍔部を有する帽子を提案することを目的とする。
【課題を解決するための手段】
【００１０】
本発明の帽子は、鍔部に風を通すことが可能な開閉窓を有することを特徴とする。
【００１１】
また、本発明の帽子は、好ましくは開閉窓が、自然状態で日光を遮るように遮蔽され、鍔部に印加される風圧に対応して風が通過する程度に開口されることを特徴とする。
【００１２】
また、本発明の帽子は、さらに好ましくは開閉窓には、風圧で少なくともその一部が鍔部から離間して空間を形成する少なくとも一枚のフラップが設けられることを特徴とする。
【発明の効果】
【００１３】
鍔部や庇それ自体が風をはらみ難いように風の逃げ道を有しており、一方で日射等に対してもこれを遮る機能を損なわないような風通し用開閉窓を備える鍔部を有する帽子を提供できる。
【図面の簡単な説明】
【００１４】
【図１】本実施形態の帽子を説明する図である。
【発明を実施するための形態】
【００１５】
本実施形態で説明する帽子は、風が比較的強い日でも風圧で帽子が飛ばされることを回避できるように、鍔部に風を通過させて逃がすことが可能な開閉窓が設けられている。開閉窓を、仮に開口部にしてしまうと日光や雨や砂埃等を遮断する鍔部の機能が損なわれるものとなるので、本実施形態の開閉窓は自然状態では鍔部全体と一体化して窓を閉じるものとし、風圧を受けた場合にのみ開口部を形成するものとする。
【００１６】
図１は、本実施形態の鍔付き帽子の構成概要を説明する図である。図１（ａ）において、帽子１０００は、鍔部１０１０を備えている。鍔部１０１０には、一対の開口部１０１１（１），１０１１（２）（以下適宜、開口部１０１１と総称する）が設けられ窓が開けられている。そして、当該開口部１０１１は、それぞれフラップ１０１２（１），１０１３（１），１０１４（１），１０１２（２），１０１３（２），１０１４（２）（以下適宜、フラップ１０１２，１０１３，１０１４と総称する）で自然状態では閉じられるように構成されている。
【００１７】
フラップ１０１２，１０１３，１０１４は、鍔部１０１０に対して例えば下から風圧を受けた場合には上方へ少なくともその一部分が浮き上がって風が上方へ通り抜ける空間を形成して、風を通過させる機能を有している。また、フラップ１０１２，１０１３，１０１４は、鍔部１０１０に対して例えば上から風圧を受けた場合には下方へ少なくともその一部分が垂れ下がって風が下方へ通り抜ける空間を形成して、風を通過させる機能を有するものとしてもよい。
【００１８】
また、図１（ｂ）は図１（ａ）のＡ−Ａ´断面を説明する概要図である。図１（ｂ）に示す例では、フラップ１０１３（２）が鍔部１０１０に搭載される場合について示しているので、フラップ１０１３（２）が下からの風圧で上方に撓んでまたは浮き上がって風の通り道を形成する典型例である。もちろん、図１（ｂ）の紙面上下を反転させた形態として、上からの風圧でフラップ１０１３（２）が下方に撓む等して風の通り道を形成するものとしてもよい。また、フラップ１０１３（２）の全体が風圧で浮き上がる等してフラップ１０１３（２）の周囲に隙間を形成して風を通す構成を採用してもよい。他のフラップ１０１２，１０１４等についてもフラップ１０１３（２）と同様の態様を採用できるし、上記した種々のフラップ態様をミックスして一つの帽子の個々のフラップに独立に適用してもよい。また、複数のフラップを一つの開閉窓に設ける場合には、ちょうどブラインドのようであって、各ブラインド羽根が個々に独立して風圧で開き、風圧が無ければ閉じるような態様を利用してもよい。
【００１９】
図１（ｃ）はフラップ１０１３（２）の後方側（相違者に近い側）が風圧により上方に撓んで風を下から上方へと逃がす例を説明する図であり、図１（ｄ）はフラップ１０１３（２）の後方側（相違者に近い側）が風圧により上方に浮き上がって風を下から上方へと逃がす例を説明する図である。いずれの場合においても、例えばフラップ１０１３（２）の前方側を鍔部１０１０に例えばピン固定しておくか、例えば枢着、蝶着等しておくことで実現できる。図１（ｃ）の場合にはフラップ１０１３（２）をフレキシブルな可撓性フィルム等で構成してもよく、図１（ｄ）の場合には、例えば鍔部１０１０と同一素材の布切れや板厚の構成とし、さらにはフラップ１０１３（２）の湾曲形状も鍔部１０１０と整合して一体化形状となるような整合した湾曲構成としてもよい。
【００２０】
また、フラップ１０１２，１０１３，１０１４は、その他の板状の弾性シートで構成することもでき、開口部１０１１の数と大きさに対応して、その数と形状は任意である。もちろん、開口部１０１１の位置や大きさ及び範囲や形状及び数量は鍔部１０１０の範囲内であれば任意のものとしてよい。
【００２１】
本実施形態の帽子は、鍔部に風を通すことが可能な開閉窓を有することを特徴とする。これにより、鍔が風に煽られて風圧で帽子が意図せずに脱げてしまう事態を回避できるものとなる。
【００２２】
また、本実施形態の帽子は好ましくは、開閉窓が、自然状態で日光を遮るように遮蔽され、鍔部に印加される風圧に対応して風が通過する程度に開口されることを特徴とする。これにより、日光の顔面への直接照射を低減する鍔部の機能は維持されつつ、風を受けた鍔部によって意図せずに帽子が脱げてしまうような事態を低減できる。
【００２３】
また、本実施形態の帽子はさらに好ましくは、開閉窓には、風圧で少なくともその一部が鍔部から離間して空間を形成する少なくとも一枚のフラップが設けられることを特徴とする。これにより、フラップによって窓が開閉されるものとなるので、自然状態では、窓部分における鍔部の機能の欠如が、フラップによって補われるものとできる。
【００２４】
また、本実施形態の帽子はさらに好ましくは、鍔部から離間するフラップの一部は、フラップのうち着帽者に近い側であることを特徴とする。これにより、着帽者方向に来る風が着帽者に達する前に開閉窓から効率的に逃がすことが可能となるので、着帽者に加わる風圧を低減することができ着帽者が受けるストレスを低減可能となる。
【００２５】
また、本実施形態の帽子はさらに好ましくは、鍔部から離間するフラップの一部は、フラップのうち着帽者から遠い側であることを特徴とする。鍔部のより先端側で受ける風圧のほうが鍔部の着帽者側（根元側）で受ける同じ風圧よりも、梃子の原理によって、意図せずに帽子を脱がそうとする作用は大きいものとなる。このため、鍔部の先端側（着帽者から遠い側）で鍔部に印加される風圧を低減することによって、風による意図しない脱帽作用を回避できるものとなる。
【００２６】
また、本実施形態の帽子はさらに好ましくは、フラップが可撓性を有するフレキシブル素材で構成されることを特徴とする。フラップが例えばポリイミドフィルムのような耐候性、耐水性を有する軽量なフレキシブル素材であれば、少ない風であってもより素早く窓を開放することが可能となるので好ましい。
【００２７】
なお、フラップを例えば鍔部全体に整合するように湾曲した板状の非可撓性素材等で構成してもよいが、過度に重すぎると相当大きな風圧が印加されないと窓が開放されないものとなるので、帽子が飛ばされる前に風圧を逃がすことが可能な程度に窓が開放されるように適宜調整することが好ましい。また、フラップと鍔部とを係合する支点となる部位には、フラップの開放容易さや開放程度を調整する調整部材（例えばブレーキ等摩擦力の調整部材や開放制限ストッパ等）を設けてもよい。
【００２８】
また、本実施形態の帽子はさらに好ましくは、フラップが、自然状態では鍔部の形状と一体化する湾曲形状であることを特徴とする。これにより、帽子全体としての形状に違和感を生じることなく全体のデザイン形状にもマッチし配慮した帽子とすることができるので好ましい。
【００２９】
上述したように帽子１０００は、風が比較的強い日でも風圧でかぶった帽子１０００が飛ばされることを回避できるように、鍔部１０１０に風を通過させて逃がすことが可能な開閉窓１０１１（１），１０１１（２）が設けられている。開閉窓１０１１（１），１０１１（２）を、仮に開口部にしてしまうと日光や雨や砂埃等を遮断する鍔部の機能が損なわれるものとなるので、本実施形態の開閉窓１０１１（１），１０１１（２）は自然状態では鍔部全体と一体化して窓を閉じるものとし、風圧を受けた場合にのみ開口部を形成するものとする。
【００３０】
このため、それぞれの開閉窓を自然状態では３枚のフラップ１０１２（１），１０１３（１），１０１４（１），１０１２（２），１０１３（２），１０１４（２）で遮蔽するものとし、下から風圧を受けた場合にのみ、（ｃ）または（ｄ）に示すように、後方側（着帽者側）のフラップ端が風圧で上方に移動または撓んで、風の逃げ道を形成する。風圧が無くなればもとの位置に戻る。
【００３１】
図１（ａ）のＡ−Ａ´断面である図１（ｂ）に示すように、フラップ１０１３（２）等は、鍔部１０１０の開閉窓１０１１（１）辺縁部に設けられた段差上に搭載されてその前方端が鍔部１０１０の段差等に固定されるものとしてもよい。
【００３２】
また、フラップ１０１３（２）等は、日差しを遮る機能を有する遮光材であって、さらにはＵＶカット素材であることが好ましい。これによって、風のない場合には通常の日除け帽子として使用できる。
【００３３】
また、フラップ１０１３（２）等は、鍔部１０１０が取り外し交換可能に構成してもよい。宝石箱や各種容器などの蓋のヒンジ構造等にも採用されている公知の構造を採用してもよい。例えば、Ｕ字構造の枢軸受けや回動軸受けを開口部１０１１の辺縁部や鍔部１０１０の任意箇所に設けておき、フラップ１０１３（２）等の枢軸を嵌め込み構成するものとしてもよい。さらに、当該軸受けには例えばフラップ１０１３（２）等を任意の方向に付勢するバネや弾性体を設けておいて自然状態で鍔部１０１０の方向にフラップが付勢されるものとしてもよい。また、そのようなバネや弾性体の付勢力を調整可能としておけば、風の通り道の開口し易さをその場その日の風の強さや向きの程度に応じて適宜着帽者が調整できるので好ましい。また、フラップ１０１３（２）等には任意の絵柄や模様等を施しておけば、外出時のファッションとして着替えるようにあるいはスマートホンの着せ替えカバーのように、フラップ１０１３（２）等を好みのものに着替える（付け替える）ことも可能である。なお、フラップ１０１３（２）等の枢動・回動可能な角度範囲（可動領域）は、風が通れる開口程度に応じて任意に設計・設定することができるが、公知の可動角度制限調整手段等を適宜設けておいて着帽者が使用時に自由に調整可能にすることもできる。
【００３４】
上述した実施形態で説明した帽子１０００等は、実施形態での個別具体的な説明に限定されるものではなく、本発明の範囲内かつ自明・公知な範囲内で自由にその形状、構成や素材等を変更し、組み合わせ適用して実現することが可能である。
【産業上の利用可能性】
【００３５】
本発明は、屋外で風が強かったり日差しが強かったりする場合に用いる鍔付き帽子に好適である。
【符号の説明】
【００３６】
１０００・・帽子、１０１０・・鍔部、１０１１・・開口部、１０１２・・フラップ、１０１３・・フラップ、１０１４・・フラップ。
【図１】
2020079454.tif 000003